(57)【要約】【課題】リアリティに富んだバーチャルパチンコパーラーシステムを提供するものである。【解決手段】バーチャルパチンコパーラーを提供するサーバ１１と、そのサーバと通信回線１５を介して接続され前記バーチャルパチンコパーラーの提供を受けるユーザ端末１３とを備え、前記サーバ１１にはバーチャルパチンコパーラーに設置されるパチンコ台毎の台情報が格納され、前記ユーザ端末１３からバーチャルパチンコパーラに設置された複数のパチンコ台の中から遊技を行うパチンコ台を選択するときに、前記サーバ１１に格納された台情報がユーザ端末１３に表示される。【選択図】  図１
2006102523.tif 000002
【特許請求の範囲】
【請求項１】
バーチャルパチンコパーラーを提供するサーバと、そのサーバと通信回線を介して接続され前記バーチャルパチンコパーラーの提供を受けるユーザ端末とを備え、
前記サーバにはバーチャルパチンコパーラーに設置されるパチンコ台毎の台情報が格納され、
前記ユーザ端末からバーチャルパチンコパーラーに設置された複数のパチンコ台の中から遊技を行うパチンコ台を選択するときに、前記サーバに格納された台情報がユーザ端末に表示されることを特徴とするバーチャルパチンコパーラーシステム。
【請求項２】
前記ユーザ端末には、バーチャルパチンコパーラーにおける遊技結果に関する情報を前記サーバに送信する遊技結果送信手段が設けられ、
その遊技結果送信手段から送信された遊技結果に関する情報は前記サーバ内に台情報として格納され、
前記ユーザ端末からバーチャルパチンコパーラーに設置された複数のパチンコ台から遊技を行うパチンコ台を選択するときに、前記サーバに格納された遊技結果に関する情報がユーザ端末に表示されることを特徴とする請求項１に記載したバーチャルパチンコパーラーシステム。
【請求項３】
バーチャルパチンコパーラーを提供するサーバと、そのサーバと通信回線を介して接続され前記バーチャルパチンコパーラーの提供を受けるユーザ端末とを備え、
前記ユーザ端末においてバーチャルパチンコパーラー内のパチンコ台を選択し遊技を行うと、そのパチンコ台を使用している旨の使用情報がユーザ端末からサーバに送信され、
その送信された使用情報が前記サーバ内に格納され、
他のユーザ端末からバーチャルパチンコパーラーに設置された複数のパチンコ台から遊技を行うパチンコ台を選択するときに、サーバ内に格納された使用情報に基づき前記使用されているパチンコ台を他のユーザ端末から選択できなくすることを特徴とするバーチャルパチンコパーラーシステム。
【請求項４】
バーチャルパチンコパーラーを提供するサーバと、そのサーバと通信回線を介して接続され前記バーチャルパチンコパーラーの提供を受けるユーザ端末とを備え、
前記サーバは複数のバーチャルパチンコパーラーを提供するものであり、
前記ユーザ端末は、前記サーバから提供される複数のバーチャルパチンコパーラーの中から、遊技を行うバーチャルパチンコパーラーを選択できるようにしたことを特徴とするバーチャルパチンコパーラーシステム。
【請求項５】
前記サーバにはバーチャルパチンコパーラー毎の店情報が格納され、
前記ユーザ端末から遊技を行うバーチャルパチンコパーラーを選択するときに、前記サーバに格納された店情報がユーザ端末に表示されることを特徴とする請求項４記載のバーチャルパチンコパーラーシステム。
【請求項６】
サーバに接続することによりバーチャルパチンコパーラーの提供を受け、そのバーチャルパチンコパーラーに設置されている複数のパチンコ台の中から遊技を行うパチンコ台を選択するときに、前記サーバに格納されたパチンコ台に関する台情報をユーザ端末に表示するプログラムを記憶したコンピュータ読取可能な記録媒体。
【請求項７】
サーバに接続することにより複数のバーチャルパチンコパーラーの提供を受け、その複数のバーチャルパチンコパーラーの中から遊技を行うバーチャルパチンコパーラーを選択するときに、前記サーバに格納されたバーチャルパチンコパーラーの店情報をユーザ端末に表示するプログラムを記憶したコンピュータ読取可能な記録媒体。
【発明の詳細な説明】
【技術分野】
【０００１】
本発明は、バーチャルリアリティー（仮想現実空間）によって生成したバーチャルパチンコパーラーを、例えばインターネット等の通信回線を利用して、ユーザに提供するバーチャルパチンコパーラーシステムに関する。
【背景技術】
【０００２】
現在、バーチャルリアリティー（仮想現実空間）によって生成したバーチャルパチンコパーラーを、インターネットを利用してユーザに提供するバーチャルパチンコパーラーシステムが開発されサービスを行っている。このシステムは、バーチャルパチンコパーラーを提供するサーバと、そのサーバにインターネットを介して接続されたユーザ端末とから構成される。
ユーザ端末においてこのサービスの提供を受けるには、まず、ユーザ端末からインターネットを介してサーバに接続することにより、ユーザ端末にパチンコパーラーの店内の画面が表示される。そして、ユーザは表示された店内の画面から遊技を行うパチンコ台を選択する。パチンコ台を選択すると、ユーザ端末には選択されたパチンコ台の画面が表示され、ユーザはユーザ端末にてパチンコ遊技を行う。
これにより、ユーザは家に居ながらにして仮想現実空間に生成したバーチャルパチンコパーラーに行き、パチンコ遊技を楽しむことが可能となる。
【発明の開示】
【発明が解決しようとする課題】
【０００３】
しかしながら、上記バーチャルパチンコパーラーシステムでは、ユーザ端末上に単にパチンコパーラーの店内の画像が表示され、表示された画像の中からパチンコ台を選択しパチンコ遊技を行うだけであった。このため、専用のゲーム機を用いて家庭内で遊ぶパチンコゲームとたいした相違はなく、今一つリアリティに欠けるものであった。
【０００４】
本発明はこのような実情に鑑みてなされたものであり、リアリティに富んだバーチャルパチンコパーラーシステムを提供するものである。
【課題を解決するための手段】
【０００５】
本発明は上述した課題を解決するためになされたものであり、下記に示す種々の態様のバーチャルパチンコパーラーシステムを提供する。
【０００６】
まず、本発明の一つの態様である請求項1に記載したバーチャルパチンコパーラーシステムは、バーチャルパチンコパーラーを提供するサーバと、そのサーバと通信回線を介して接続され前記バーチャルパチンコパーラーの提供を受けるユーザ端末とを備え、前記サーバにはバーチャルパチンコパーラーに設置されるパチンコ台毎の台情報が格納され、前記ユーザ端末からバーチャルパチンコパーラーに設置された複数のパチンコ台の中から遊技を行うパチンコ台を選択するときに、前記サーバに格納された台情報がユーザ端末に表示されることを特徴とする。
上記バーチャルパチンコパーラーシステムによれば、ユーザ端末からバーチャルパチンコパーラーに設置された複数のパチンコ台から遊技を行うパチンコ台を選択する際に、サーバ内に格納されている台情報がユーザ端末に表示される。
このため、ユーザはユーザ端末に表示される台情報を基にパチンコ台を選択することとなる。よって、パチンコ台を選択するプロセスが付加され、より現実に近くなってリアリティを増すことができる。
【０００７】
ここで、「台情報」とは、パチンコ台の機種特性や台特性あるいは台の実績に関する情報をいい、例えば、釘（釘の良し悪し）やチューリップ等の台の特性に関する情報、大当たり回数や出球数・出球推移グラフ等のような過去の遊技結果に関する情報等が台情報に相当する。ただし、上述した情報の全てがユーザ端末に表示される必要は無く、これらの情報の少なくとも一つが何らかの形でユーザ端末に表示されれば良い。
【０００８】
台情報として過去の遊技結果（大当たり回数、出球数・出球推移グラフ等）に関する情報をユーザ端末に表示する場合には、例えば、請求項2記載のバーチャルパチンコパーラーシステムの態様を採ることができる。
請求項2に記載したバーチャルパチンコパーラーシステムは、請求項1に記載したバーチャルパチンコパーラーシステムにおいて、前記ユーザ端末には、バーチャルパチンコパーラーにおける遊技結果に関する情報を前記サーバに送信する遊技結果送信手段が設けられ、その遊技結果送信手段から送信された遊技結果に関する情報は前記サーバ内に台情報として格納され、前記ユーザ端末からバーチャルパチンコパーラーに設置された複数のパチンコ台から遊技を行うパチンコ台を選択するときに、前記サーバに格納された遊技結果に関する情報がユーザ端末に表示されることを特徴とする。
上記バーチャルパチンコパーラーシステムによれば、ユーザ端末から遊技結果に関する情報がサーバに送信され、その送信された遊技結果に関する情報はサーバ内に台情報として格納される。そして、ユーザ端末からバーチャルパチンコパーラーに設置された複数のパチンコ台から遊技を行うパチンコ台を選択する際に、遊技結果に関する情報がユーザ端末に表示される。
このため、ユーザはユーザ端末に表示される遊技結果に関する情報に基づいてパチンコ台を選択することができるため、実際のパチンコパーラーでパチンコ台を選択するときと同様の情報を基に台を選択できリアリティを増すことができる。
【０００９】
なお、ユーザ端末に表示される遊技結果に関する情報は、パチンコ台選択時から所定期間過去の時点までの大当たり回数、出球数・出球推移グラフ等の情報とすることが好ましい。これにより、所定期間過去の時点よりも前の情報は格納する必要がなくなり、サーバ内に格納しなければならない情報量を少なくすることができる。また、実際のパチンコパーラーと同様のデータを表示することとなり、よりリアリティを増すことができる。
【００１０】
また、ユーザ端末に設けられる遊技結果送信手段は、ゲーム中リアルタイムで遊技結果に関する情報を送信するものとしても良いが、通信コストの観点からはゲーム終了時点又は大当たり後等の節目節目で送信するようなものとすることが好ましい。
また、遊技結果に関する情報は、ユーザ自らが遊技結果に関する情報を送信するようなものとしても良いが、ユーザの操作なしで自動的に遊技結果に関する情報を送信するようなものとすることが好ましい。これにより、ユーザが送信し忘れることにより遊技結果に関する情報がアップロードされないことを防止することができる。
さらに、ユーザが自ら送信するようにした場合も、ユーザ端末上で他のソフト（通信ソフト）を立ち上げることなく、バーチャルパチンコパーラーシステム内で送信できるようにすることが好ましい。
【００１１】
また、本発明の他の態様としては、請求項3に記載した態様を採ることができる。
請求項3に記載したバーチャルパチンコパーラーシステムは、バーチャルパチンコパーラーを提供するサーバと、そのサーバと通信回線を介して接続され前記バーチャルパチンコパーラーの提供を受けるユーザ端末とを備え、前記ユーザ端末においてバーチャルパチンコパーラ内のパチンコ台を選択し遊技を行うと、そのパチンコ台を使用している旨の使用情報がユーザ端末からサーバに送信され、その送信された使用情報が前記サーバ内に格納され、他のユーザ端末からバーチャルパチンコパーラーに設置された複数のパチンコ台から遊技を行うパチンコ台を選択するときに、サーバ内に格納された使用情報に基づき前記使用されているパチンコ台を他のユーザ端末から選択できなくすることを特徴とする。
上記バーチャルパチンコパーラーシステムによれば、例えば、あるユーザ端末でバーチャルパチンコパーラー内のパチンコ台が選択され遊技が行われると、そのユーザ端末からサーバに使用情報が送信される。使用情報はサーバ内に格納され、他のユーザ端末からバーチャルパチンコパーラーに設置されたパチンコ台を選択するときに、その使用情報に基づき他のユーザ端末では使用されているパチンコ台が選択（使用）できなくなる。
このため、バーチャルパチンコパーラーに設置されたパチンコ台は、一台に付き一人のユーザしか使用することができず、より実際のパチンコパーラーに近くなりリアリティを増すことができる。
【００１２】
なお、上記請求項3記載のバーチャルパチンコパーラーにおいて、他のユーザ端末からバーチャルパチンコパーラーに設置された複数のパチンコ台から遊技を行うパチンコ台を選択するときに、前記使用情報をユーザ端末に表示するようにすることが好ましい。
これにより、他のユーザ端末にはそのパチンコ台が使用されている旨の情報が表示されるため、パチンコパーラーの混み具合等を判断でき、よりリアリティを増すことができる。
なお、上述した使用情報はユーザ端末にどのような形（文字等）で表示されても良いが、例えば使用されているパチンコ台の椅子に人が座っている店内の画像を表示すること等により、視覚的に表示すること好ましい。これにより、ユーザは実際にパチンコパーラーに行っている気分に近い雰囲気を得ることができる。
【００１３】
さらに、本発明の他の態様としては、請求項４に記載した態様を採ることができる。
請求項４に記載したバーチャルパチンコパーラーシステムは、バーチャルパチンコパーラーを提供するサーバと、そのサーバと通信回線を介して接続され前記バーチャルパチンコパーラーの提供を受けるユーザ端末とを備え、前記サーバは複数のバーチャルパチンコパーラーを提供するものであり、前記ユーザ端末は、前記サーバから提供される複数のバーチャルパチンコパーラーの中から、遊技を行うバーチャルパチンコパーラーを選択できるようにしたことを特徴とする。
上記バーチャルパチンコパーラーシステムによれば、サーバから複数のバーチャルパチンコパーラーが提供され、ユーザはその提供されたパチンコパーラーから遊技を行うバーチャルパチンコパーラーを選択することができる。
このため、遊技を行うパチンコパーラーを選択する店選びの楽しみが付加され、現実世界により近くなりリアリティを増すことができる。
【００１４】
なお、現実世界においてパチンコパーラーを選択する際は、各パチンコパーラーにどのような機種のパチンコ台が設置されているか等の店情報に基づいてパチンコパーラーを選択することが一般的である。
したがって、請求項4に記載のバーチャルパチンコパーラーシステムにおける好ましい態様として、請求項５に記載したバーチャルパチンコパーラーシステムが得られる。
請求項５に記載したバーチャルパチンコパーラーシステムは、請求項４記載のバーチャルパチンコパーラーシステムにおいて、前記サーバにはバーチャルパチンコパーラー毎の店情報が格納され、前記ユーザ端末から遊技を行うバーチャルパチンコパーラーを選択するときに、前記サーバに格納された店情報がユーザ端末に表示されることを特徴とする。
上記バーチャルパチンコパーラーシステムによれば、ユーザ端末からバーチャルパチンコパーラーを選択する際に、サーバ内に格納されている各バーチャルパチンコパーラーに関する店情報がユーザ端末に表示される。
このため、ユーザは表示される店情報を基にパチンコパーラーを選択することができるため、より現実に近くなりリアリティを増すことができる。
【００１５】
ここで、「店情報」とは、システム内に生成された各バーチャルパチンコパーラーの店に関する情報であり、例えば、各バーチャルパチンコパーラーに設置されたパチンコ台の数や、パチンコ台の機種等の情報が店情報に相当する。
【００１６】
なお、上述した請求項４又は請求項５記載のバーチャルパチンコパーラーシステムにおいて、請求項１乃至３に記載した構成を併せて採用することも可能である。
特に、請求項３に記載した構成を採用することにより、各店毎の混み具合等をユーザが判断できるため、より現実のパチンコパーラー選びに近づきリアリティを増すことができる。
【発明を実施するための最良の形態】
【００１７】
以下、本発明の一実施の形態に係るバーチャルパチンコパーラーシステムについて図面を用いて説明する。図１は、本発明のバーチャルパチンコパーラーシステムの全体構成図を示している。
図１に示すように、本実施の形態のバーチャルパチンコパーラーシステムはサーバ１１と、サーバ１１と広域通信網１５（例えば光ファイバーを利用した広域通信網）を介して接続された任意の数（本実施の形態においては３台）のユーザ端末１３−１、１３−２、１３−３により構成される。
【００１８】
サーバ１１は、広域通信網１５を介してバーチャルパチンコパーラーを各ユーザ端末１３に提供するものであって、図２に示すような構成を有している。
図２に示すように、サーバ１１はＣＰＵ３１と、ＣＰＵ３１に接続されたＲＯＭ３２、ＲＡＭ３３を備える。また、ＣＰＵ３１には、記憶装置３５、通信装置３６、表示装置３７、入力装置３８がインタフェース３４を介して接続されている。
【００１９】
ＣＰＵ３１は、ＲＯＭ３２に記憶されているプログラムに従って、ＲＡＭ３３に必要なデータ、プログラム等を適宜読み込み各種処理を実行する。具体的には、ＣＰＵ３１は、接続されたユーザ端末１３−１、１３−２、１３−３の認証や、バーチャルタウンのグラフィックデータ、バーチャルパチンコパーラー店内のグラフィックデータ、バーチャルパチンコパーラーに設置されるパチンコ台の台情報等の各種データの送信や、各ユーザ端末１３から送信されてきたデータの処理等を実行する。
【００２０】
記憶装置３５には、ＣＰＵ３１において各種処理を実行するために必要となる各種データ等か格納される。記憶装置３５に記憶されるデータとしては、バーチャルタウンのグラフィックデータ、バーチャルパチンコパーラーの店内のグラフィックデータ、店情報、パチンコ台に関する情報等がある。
バーチャルタウンのグラフィックデータは、バーチャルタウンのグラフィックを各ユーザ端末１３に表示するために必要とされるデータをいう。このデータは、適当な期間毎にバージョンアップ（例えば、新しい店の新規開店等）されるようになっている。
バーチャルパチンコパーラーの店内のグラフィックデータは、バーチャルタウン内に設けられた各バーチャルパチンコパーラーの店内グラフィックを各ユーザ端末１３に表示するために必要とされるデータをいう。このデータも、適当な期間毎にバージョンアップ（例えば、各パーラーの新装開店等）されるようになっている。
店情報とは、各ユーザが複数のバーチャルパチンコパーラーから遊技を行うバーチャルパチンコパーラーを選択する際に参考となる情報をいい、例えば、バーチャルタウンに設けられた各バーチャルパチンコパーラーにどのような機種のパチンコ台が何台設けられているかのような台の設置情報等が相当する。
パチンコ台に関する情報とは、各バーチャルパチンコパーラーに設置されたパチンコ台に関する台の特性等の情報をいう。したがって、パチンコ台に関する情報には、パチンコ台のグラフィックや、センタ役物に表示される特別図柄の変動パターン、大当たり確立を決める確率計算データ（プログラム）等のパチンコ台の仕様情報と、パチンコ台毎の大当たり回数・出球数・出球推移グラフ等のデータや、釘データ（釘の良し悪し）等のパチンコ台の選択に際して参照される台情報が含まれる。
【００２１】
また、通信装置３６は上述した各種データ等を広域通信網１５を介して各ユーザ端末１３に送受信するための装置であり、表示装置３７はサーバ１１に入力するデータ等をモニタするためのディスプレイ装置であり、入力装置３８はサーバ１１にデータ等を入力するためのマウスやキーボード等である。
【００２２】
ユーザ端末１３は、広域通信網１５を介してサーバ１１からバーチャルパチンコパーラーの提供を受けるもので、いわゆる家庭用のパソコンをユーザ端末１３として使用することができる。図３にユーザ端末の構成の一例を示す。
図３に示すように、ユーザ端末１３はＣＰＵ４１と、ＣＰＵ４１に接続されたＲＯＭ４２、ＲＡＭ４３を備える。また、ＣＰＵ４１には、記憶装置４５、通信装置４６、表示装置４７、入力装置４８がインタフェース４４を介して接続されている。
【００２３】
ＣＰＵ４１は、ＲＯＭ４２に記憶されているプログラムに従って、ＲＡＭ４３に必要なデータ、プログラム等を適宜読み込み各種処理を実行する。具体的には、ＣＰＵ４１は、サーバ１１との各種データの送受信や、パチンコ台を動かすための処理（パチンコ球を動かす、センタ役物に表示される特別図柄を変動表示等）等を実行する。
【００２４】
記憶装置４５には、ＣＰＵ４１において各種処理を実行するために必要となる各種データ、プログラム等か格納されている。具体的には、記憶装置４５には、サーバ１１と接続するために必要とされるプログラムや、バーチャルタウンのグラフィックデータの一部（バーチャルタウンの入口等のバージョンアップに関係の無いグラフィックデータ）が記憶される。バーチャルタウンのグラフィックデータの一部をユーザ端末１３側に記憶させるのは、サーバ１１から送信しなければならないデータ量を少なくし、サーバ１１との接続時間を短くするためである。上述したプログラムやデータは、サーバ１１に初めて接続する際に通信回線を介してユーザ端末１３にダウンロードするようにしても良いし、また、ＣＤ−ＲＯＭ等の記憶媒体を用いてユーザ端末１３にインストールするようにしても良い。
【００２５】
また、通信装置４６はサーバ１１と広域通信網１５を介して各種データを送受信するための装置であり、表示装置３７はバーチャルタウン、バーチャルパチンコパーラー、パチンコ台等のグラフィックを表示するためのディスプレイ装置であり、入力装置３８は表示装置３７に表示されたバーチャルタウン、バーチャルパチンコパーラー、パチンコ台等の所定の位置を指定するためのマウスやキーボード等からなる。
【００２６】
次に上述したように構成されるバーチャルパチンコパーラーシステムによりパチンコゲームを楽しむ場合の手順を、図４に示すフローチャートを用いて説明する。
まず、パチンコゲームを行いたいユーザは、ユーザ端末１３を起動し、広域通信網１５を介してサーバ１１に接続する［ステップＳ１］。サーバ１１に接続すると、ユーザ端末１３にはサーバ１１からバーチャルタウンのグラフィックデータ及び店情報が送信され、ユーザ端末１３の表示装置４７にバーチャルタウンのグラフィックが表示される［ステップＳ２］。表示装置４７に表示されるバーチャルタウンのグラフィックの一例を図５，６に示す。図５はバーチャルタウンの一部を上方から見たグラフィックを示し、図６は図５の視点から視点移動して人の視点から見たグラフィックを示す。
【００２７】
図５、図６に示すように表示装置４７の画面は、左右二つの画面に分割され、左画面５０にはバーチャルタウンのグラフィックが表示され、右画面６０には店情報が表示されるようになっている。
例えば図５，６に示す例では、左画面５０に表示されるグラフィックは、その中央に道５１が表示され、その左右にパチンコパーラー５２，５３，５４，５５が表示される。ユーザは視点切り替えを行うことにより、図５のグラフィックから図６のグラフィックに切り替えることができるようになっている。したがって、ユーザは、図５のグラフィックでバーチャルタウンの全体の構成を調べ、図６のグラフィックで実際に街の中を歩いているような気分になることができる。
右画面６０には、各パチンコパーラー５２，５３，５４，５５の店情報が表示される。表示される店情報には、各店に設置されたパチンコ台の機種及び台数等の情報（新機種導入等の情報を含む）や、各店におけるイベント情報（新装開店、新規開店の案内、各店における景品の種類等）が表示される。
【００２８】
したがって、ユーザは、この右画面６０に表示される店情報等に基づいて、パチンコ遊技を行う店を選択する［ステップＳ３］。具体的な操作は、マウスで表示されているパチンコパーラーの中から入店する店を指定する。
なお、ユーザ端末１３とサーバ１１との接続は、サーバ１１からバーチャルタウンのグラフィックデータ等を受信している間だけ行っていれば良く、ユーザ端末１３で遊びに行くバーチャルパチンコパーラーを検討している間においては接続している必要はない。
【００２９】
ユーザがバーチャルパチンコパーラーを選択すると、その情報がユーザ端末１３からサーバ１１に送信される。送信された情報をサーバ１１が受信すると、サーバ１１はその選択されたパチンコパーラーの店内グラフィックデータ及びそのパーラーに設置してあるパチンコ台の台情報（パチンコ台毎の大当たり回数・出球数・出球推移グラフ等のデータ、釘データ等）を送信する。そして、これらの送信データをユーザ端末１３が受信すると、ユーザ端末１３の表示装置４７にパチンコパーラーの店内グラフィックが表示される［ステップＳ４］。図７に表示装置４７に表示されるパチンコパーラーの店内グラフィックの一例を示す。
【００３０】
図７に示すように表示装置４７の画面は、左右二つの画面に分割されており、左画面７０にはパチンコパーラー店内のグラフィックが表示され、右画面８０にはサーバ１１から送信されてきた台情報等が表示されるようになっている。
図７に示すように左画面７０には、入口７１と、店内に配置された複数のパチンコ台７２が表示される。また、図７には図示していないが、既に他のユーザがこのパチンコパーラーに入店しパチンコゲームをしている場合には、そのユーザが使用しているパチンコ台の椅子には人（遊技者）が表示されるようになっている。これにより新しく入店したユーザは、この店の込み具合及び選択できるパチンコ台の有無等を視認することができる。
なお、パチンコパーラーの店内グラフィックにおいても、前述したバーチャルタウンのグラフィックと同様に、図６に示すような視点（人の視点）に切り替えができ、また、視点移動ができるようになっている。これによりユーザは、店内に実際に入店し、パチンコ台を選択している気分を味わえることができる。また、視点切り替えを行った画面においても、既に遊技が行われているパチンコ台には人（遊技者）が表示されると共に、そのパチンコ台の灰皿にはそのパチンコ台で遊技を行っている時間に対応した本数の煙草の吸い殻等が表示される。これにより現実感を増すことができる。
【００３１】
右画面８０は、パチンコパーラーに設置されたパチンコ台毎の大当たり回数・出球数・出球推移グラフ等のデータ、釘データ等のパチンコ台を選択する際に必要となる情報が表示される領域である。具体的な表示方法は、表示させたいパチンコ台をマウスで指定すると、これらの情報が右画面８０に表示されるようになっている。
そして、ユーザは右画面８０に表示された情報を見てこのパチンコ台が気に入れば、もう一度マウスでこのパチンコ台をクリックし、このパチンコ台を選択する［ステップＳ５］。もし、そのパチンコ台が気に入らなければ、他のパチンコ台を選択することもでき、また、その店を出て他のパチンコパーラーに行くこともできる。
【００３２】
パチンコ台を選択するとその情報は、ユーザ端末１３からサーバ１１に送信される。サーバ１１がこの情報を受信すると、その選択されたパチンコ台の仕様情報（パチンコ台のグラフィックデータ、センタ役物の図柄変動データ等）がユーザ端末１３に送信される。また、サーバ１１は、ユーザ端末１３から送信された情報に基づいて後に入店するユーザによってはそのパチンコ台を選択できなくする。それと同時に、サーバ１１は、後に入店したユーザのユーザ端末１３には選択されたパチンコ台の椅子に人が座った店内グラフィックが表示されるようにグラフィックデータの一部を変更する。
【００３３】
ユーザ端末１３は、サーバ１１から送信された上記パチンコ台の仕様情報を受信すると、ユーザ端末１３の表示装置４７にパチンコ台のグラフィックが表示され、ユーザはパチンコ遊技を行うことができる［ステップＳ６］。パチンコ遊技を行う手順は、従来公知のパチンコゲームの手順と同一であるので、その詳細な説明は省略する。
なお、ユーザ端末１３にはパチンコ遊技を行うために必要なデータは全て格納されるため、パチンコ遊技中にユーザ端末１３とサーバ１１とのデータの送受信を行う必要はない。これにより、ユーザは、オフラインでパチンコ遊技を行うことができ、通信コストを抑えることができる。
【００３４】
ユーザがパチンコ遊技を終了するときは、遊技結果情報（出球、大当たり回数等）をサーバ１１に送信し遊技を終了する［ステップＳ７］。この遊技結果情報をサーバ１１が受信すると、サーバ１１はそのユーザが使用していたパチンコ台を他のユーザが使用可能な状態に戻すとともに、その送信された情報に基づいて使用していたパチンコ台の台情報（出球数・出球推移グラフ等）を更新する。
なお、送信された出球数は一定の期間内で累積集計され、その期間内に最もパチンコ球を出したユーザに景品等を出すシステムとしている。
【００３５】
以上詳細に説明したように、本実施の形態のバーチャルパチンコパーラーシステムでは、複数のパチンコパーラーから遊技を行う（入店する）パチンコパーラーを選択することができるので、店選択の楽しみが付加された面白味の高いシステムとなっている。また、パチンコパーラーを選択する際に店情報が表示されるため、ユーザは行きたい店を容易に選択することができる。
また、バーチャルパチンコパーラー内においては、パチンコ台を選択する際にパチンコ台毎に出球数・出球推移グラフ等が表示され、これらの情報に基づいてパチンコ台を選択することができるため、台選択の楽しみが付加された面白味の高いシステムとなっている。
さらに、他のユーザに使用されている台は、後から入店したユーザには使用できなくなっているため、ユーザにとっては実際のパチンコ店に行っているのに近い気分を与えることができる。
【００３６】
以上、本発明の実施形態を詳細に説明したが、これは例示に過ぎず、本発明は当業者の知識に基づいて種々の変更、改良を施した形態で実施することができる。
【図面の簡単な説明】
【００３７】
【図１】本発明の一実施の形態に係るバーチャルパチンコパーラーシステムの全体構成を示す図面
【図２】サーバの構成を示す図面
【図３】ユーザ端末の構成を示す図面
【図４】ユーザ端末においてバーチャルパチンコパーラーの提供を受ける際の手順を示すフローチャート
【図５】バーチャルタウンのグラフィックの一例
【図６】バーチャルタウンをグラフィックの他の例
【図７】パチンコパーラー店内のグラフィックの一例
【符号の説明】
【００３８】
１１・・サーバ
１３・・ユーザ端末
１５・・広域通信網
【図１】
2006102523.tif 000003
【図２】
2006102523.tif 000004
【図３】
2006102523.tif 000005
【図４】
2006102523.tif 000006
【図５】
2006102523.tif 000007
【図６】
2006102523.tif 000008
【図７】
2006102523.tif 000009
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
複数のバーチャルパチンコパーラーを提供するサーバと、そのサーバと通信回線を介して接続されバーチャルパチンコパーラーの提供を受ける複数のユーザ端末とを備え、
サーバは、複数のバーチャルパチンコパーラーが設置されたバーチャルタウンのタウングラフィックデータを記憶する手段と、バーチャルタウンに設置された複数のバーチャルパチンコパーラーの各店内の店内グラフィックデータを記憶する手段と、タウングラフィックデータと店内グラフィックデータをユーザ端末に送信する手段と、を有しており、
各ユーザ端末は、サーバから送信されるタウングラフィックデータと店内グラフィックデータを受信する手段と、受信したタウングラフィックデータに基づいてバーチャルタウンのタウン画像を表示する手段と、受信した店内グラフィックデータに基づいてバーチャルパチンコパーラーの店内画像を表示する手段と、を有しており、
サーバにユーザ端末が接続されると、サーバからユーザ端末にタウングラフィックデータが送信され、ユーザ端末にバーチャルタウンの画像が表示され、
ユーザ端末においてタウン画像内から遊技を行うバーチャルパチンコパーラーが選択されると、選択されたバーチャルパチンコパーラーの店内グラフィックデータが該ユーザ端末に送信され、該ユーザ端末に選択されたバーチャルパチンコパーラーの店内画像が表示されることを特徴とするバーチャルパチンコパーラーシステム。
【請求項２】
サーバは、各バーチャルパチンコパーラーに設置されたパチンコ台のグラフィックデータを記憶する手段と、そのパチンコ台グラフィックデータをユーザ端末に送信する手段をさらに有しており、
各ユーザ端末は、サーバから送信されるパチンコ台グラフィックデータを受信する手段と、受信したパチンコ台グラフィックデータに基づいてパチンコ台画像を表示する手段と、をさらに有しており、
ユーザ端末においてバーチャルパチンコパーラーの店内画像の中から遊技を行うパチンコ台が選択されると、選択されたパチンコ台のパチンコ台グラフィックデータがサーバから該ユーザ端末に送信され、
該ユーザ端末に選択されたパチンコ台のパチンコ台画像が表示されることを特徴とする請求項１に記載のバーチャルパチンコパーラーシステム。
【請求項３】
サーバは、バーチャルタウンに設置された各バーチャルパチンコパーラーの店情報を記憶する手段と、記憶した店情報をユーザ端末に送信する手段と、をさらに有しており、
各ユーザ端末は、サーバから送信される店情報を受信する手段と、受信した店情報を表示する手段と、をさらに有しており、
サーバにユーザ端末が接続されると、サーバから該ユーザ端末に各バーチャルパチンコパーラーの店情報が送信され、
該ユーザ端末には、バーチャルタウンの画像と、各バーチャルパチンコパーラーの店情報とが同一画面上に表示されることを特徴とする請求項１又は２に記載のバーチャルパチンコパーラーシステム。
【請求項４】
サーバは、各バーチャルパチンコパーラーに設置された複数のパチンコ台の台情報をパチンコ台毎に記憶する手段と、記憶した台情報をユーザ端末に送信する手段と、をさらに有しており、
各ユーザ端末は、サーバから送信される台情報を受信する手段と、受信した台情報を表示する手段と、をさらに有しており、
ユーザ端末においてタウン画像内から遊技を行うバーチャルパチンコパーラーが選択されると、選択されたバーチャルパチンコパーラー内の各パチンコ台の台情報がサーバから該ユーザ端末に送信され、
該ユーザ端末において、バーチャルパチンコパーラーの店内画像の中から台情報を表示するパチンコ台が選択されると、該ユーザ端末には、バーチャルパチンコパーラーの店内画像と、その選択されたパチンコ台の台情報とが同一画面上に表示されることを特徴とする請求項１〜３のいずれかに記載のバーチャルパチンコパーラーシステム。
【請求項５】
各ユーザ端末は、バーチャルパチンコパーラーにおいて行った遊技結果に関する情報をサーバに送信する手段をさらに有しており、
サーバは、各ユーザ端末から送信された遊技結果に関する情報を、当該遊技が行われたパチンコ台の台情報として格納することを特徴とする請求項４に記載のバーチャルパチンコパーラーシステム。
【請求項６】
各ユーザ端末は、バーチャルパチンコパーラー内のパチンコ台を選択して遊技を行うときに、そのパチンコ台を使用している旨の使用情報をサーバに送信する手段をさらに有しており、
サーバは、ユーザ端末から送信される使用情報を受信する手段をさらに有しており、
サーバから他のユーザ端末に送信される店内グラフィックデータは、受信した使用情報に基づいて変更されていることを特徴とする請求項１〜５のいずれかに記載のバーチャルパチンコパーラーシステム。
【請求項７】
サーバから他のユーザ端末に送信される店内グラフィックデータは、サーバが使用情報を受信した時からの経過時間に応じてさらに変更されていることを特徴とする請求項６に記載のバーチャルパチンコパーラーシステム。
【手続補正２】
【補正対象書類名】明細書
【補正対象項目名】０００６
【補正方法】変更
【補正の内容】
【０００６】
まず、本発明のバーチャルパチンコパーラーシステムは、複数のバーチャルパチンコパーラーを提供するサーバと、そのサーバと通信回線を介して接続されバーチャルパチンコパーラーの提供を受ける複数のユーザ端末とを備える。サーバは、複数のバーチャルパチンコパーラーが設置されたバーチャルタウンのタウングラフィックデータを記憶する手段と、バーチャルタウンに設置された複数のバーチャルパチンコパーラーの各店内の店内グラフィックデータを記憶する手段と、タウングラフィックデータと店内グラフィックデータをユーザ端末に送信する手段と、を有している。各ユーザ端末は、サーバから送信されるタウングラフィックデータと店内グラフィックデータを受信する手段と、受信したタウングラフィックデータに基づいてバーチャルタウンのタウン画像を表示する手段と、受信した店内グラフィックデータに基づいてバーチャルパチンコパーラーの店内画像を表示する手段と、を有している。
そして、サーバにユーザ端末が接続されると、サーバからユーザ端末にタウングラフィックデータが送信され、ユーザ端末にバーチャルタウンの画像が表示される。ユーザ端末においてタウン画像内から遊技を行うバーチャルパチンコパーラーが選択されると、選択されたバーチャルパチンコパーラーの店内グラフィックデータが該ユーザ端末に送信され、該ユーザ端末に選択されたバーチャルパチンコパーラーの店内画像が表示される。
上記バーチャルパチンコパーラーシステムでは、ユーザはユーザ端末を用いてサーバに接続する。ユーザ端末がサーバに接続されると、サーバからユーザ端末にタウングラフィックデータが送信され、ユーザ端末にバーチャルタウンの画像が表示される。ユーザは、ユーザ端末に表示されたバーチャルタウンを見て、その中から遊技を行うバーチャルパチンコパーラーを選択する。ユーザが遊技を行うバーチャルパチンコパーラーを選択すると、サーバからユーザ端末に店内グラフィックデータが送信され、ユーザ端末にバーチャルパチンコパーラーの店内画像が表示される。このシステムでは、ユーザは複数のバーチャルパチンコパーラーの中から遊技を行うパチンコパーラーを選択することができるため、遊技を行うパチンコパーラーを選択する店選びの楽しみが付加され、リアリティを増すことができる。
【手続補正３】
【補正対象書類名】明細書
【補正対象項目名】０００７
【補正方法】変更
【補正の内容】
【０００７】
上記のバーチャルパチンコパーラーシステムにおいては、サーバは、各バーチャルパチンコパーラーに設置されたパチンコ台のグラフィックデータを記憶する手段と、そのパチンコ台グラフィックデータをユーザ端末に送信する手段をさらに有しており、各ユーザ端末は、サーバから送信されるパチンコ台グラフィックデータを受信する手段と、受信したパチンコ台グラフィックデータに基づいてパチンコ台画像を表示する手段と、をさらに有しており、ユーザ端末においてバーチャルパチンコパーラーの店内画像の中から遊技を行うパチンコ台が選択されると、選択されたパチンコ台のパチンコ台グラフィックデータがサーバから該ユーザ端末に送信され、該ユーザ端末に選択されたパチンコ台のパチンコ台画像が表示されることが好ましい。
このバーチャルパチンコパーラーシステムでは、ユーザ端末に表示されたバーチャルパチンコパーラーの店内画像の中から遊技を行うパチンコ台をユーザが選択すると、その選択したパチンコ台のグラフィックデータがサーバからユーザ端末に送信され、ユーザ端末にパチンコ台の画像が表示される。このシステムでは、ユーザはバーチャルパチンコパーラーの中に設置されたパチンコ台の中から遊技を行うパチンコ台を選択することができ、遊技を行うパチンコ台を選択する台選びの楽しみが付加され、よりリアリティを増すことができる。
【手続補正４】
【補正対象書類名】明細書
【補正対象項目名】０００８
【補正方法】変更
【補正の内容】
【０００８】
上記のバーチャルパチンコパーラーシステムにおいては、サーバは、バーチャルタウンに設置された各バーチャルパチンコパーラーの店情報を記憶する手段と、記憶した店情報をユーザ端末に送信する手段と、をさらに有しており、各ユーザ端末は、サーバから送信される店情報を受信する手段と、受信した店情報を表示する手段と、をさらに有しており、サーバにユーザ端末が接続されると、サーバから該ユーザ端末に各バーチャルパチンコパーラーの店情報が送信され、該ユーザ端末には、バーチャルタウンの画像と、各バーチャルパチンコパーラーの店情報とが同一画面上に表示されることが好ましい。
このバーチャルパチンコパーラーシステムでは、バーチャルタウンの中から遊技を行うバーチャルパチンコパーラーを選択する際に、各バーチャルパチンコパーラーの店情報がユーザ端末に表示される。このため、ユーザは、ユーザ端末に表示される各バーチャルパチンコパーラーの店情報を参考にして、遊技を行うバーチャルパチンコパーラーを選択することができる。
ここで、「店情報」とは、システム内に生成された各バーチャルパチンコパーラーの店に関する情報であり、例えば、各バーチャルパチンコパーラーに設置されたパチンコ台の数や、パチンコ台の機種等の情報が店情報に相当する。
【手続補正５】
【補正対象書類名】明細書
【補正対象項目名】０００９
【補正方法】変更
【補正の内容】
【０００９】
上記のバーチャルパチンコパーラーシステムにおいては、サーバは、各バーチャルパチンコパーラーに設置された複数のパチンコ台の台情報をパチンコ台毎に記憶する手段と、記憶した台情報をユーザ端末に送信する手段と、をさらに有しており、各ユーザ端末は、サーバから送信される台情報を受信する手段と、受信した台情報を表示する手段と、をさらに有しており、タウン画像内から遊技を行うバーチャルパチンコパーラーが選択されると、選択されたバーチャルパチンコパーラー内の各パチンコ台の台情報がサーバから該ユーザ端末に送信され、該ユーザ端末において、バーチャルパチンコパーラーの店内画像の中から台情報を表示するパチンコ台が選択されると、該ユーザ端末には、バーチャルパチンコパーラーの店内画像と、その選択されたパチンコ台の台情報とが同一画面上に表示されることが好ましい。
このバーチャルパチンコパーラーシステムによると、バーチャルパチンコパーラーの中から遊技を行うパチンコ台を選択する際に、各パチンコ台の台情報がユーザ端末に表示され、ユーザはそのパチンコ台の台特性等を知ることができる。このため、ユーザは、パチンコ台の台情報を参考にして、遊技を行うパチンコ台を選択することができる。
ここで、「台情報」とは、パチンコ台の機種特性や台特性あるいは台の実績に関する情報をいい、例えば、釘（釘の良し悪し）やチューリップ等の台の特性に関する情報、大当たり回数や出球数・出球推移グラフ等のような過去の遊技結果に関する情報等が台情報に相当する。ただし、上述した情報の全てがユーザ端末に表示される必要は無く、これらの情報の少なくとも一つが何らかの形でユーザ端末に表示されれば良い。
【手続補正６】
【補正対象書類名】明細書
【補正対象項目名】００１０
【補正方法】変更
【補正の内容】
【００１０】
上記のバーチャルパチンコパーラーシステムにおいては、各ユーザ端末は、バーチャルパチンコパーラーにおいて行った遊技結果に関する情報をサーバに送信する手段をさらに有しており、サーバは、各ユーザ端末から送信された遊技結果に関する情報を、当該遊技が行われたパチンコ台の台情報として格納することが好ましい。
このバーチャルパチンコパーラーシステムによると、ユーザ端末から遊技結果に関する情報がサーバに送信され、その送信された遊技結果に関する情報がサーバ内に台情報として格納される。そして、ユーザ端末からバーチャルパチンコパーラーに設置された複数のパチンコ台から遊技を行うパチンコ台を選択する際に、遊技結果に関する情報がユーザ端末に表示される。このため、ユーザはユーザ端末に表示される遊技結果に関する情報に基づいてパチンコ台を選択することができる。
なお、ユーザ端末に表示される遊技結果に関する情報は、パチンコ台選択時から所定期間過去の時点までの大当たり回数、出球数・出球推移グラフ等の情報とすることが好ましい。これにより、所定期間過去の時点よりも前の情報は格納する必要がなくなり、サーバ内に格納しなければならない情報量を少なくすることができる。また、実際のパチンコパーラーと同様のデータを表示することとなり、よりリアリティを増すことができる。
また、ユーザ端末からサーバへの遊技結果の送信は、ゲーム中リアルタイムで遊技結果に関する情報を送信しても良いが、通信コストの観点からはゲーム終了時点又は大当たり後等の節目節目で送信することが好ましい。
また、遊技結果に関する情報は、ユーザ自らが遊技結果に関する情報を送信するようにしても良いが、ユーザの操作なしで自動的に遊技結果に関する情報を送信することが好ましい。これにより、ユーザが送信し忘れることにより遊技結果に関する情報がアップロードされないことを防止することができる。
さらに、ユーザが自ら送信するようにした場合も、ユーザ端末上で他のソフト（通信ソフト）を立ち上げることなく、バーチャルパチンコパーラーシステム内で送信できるようにすることが好ましい。
【手続補正７】
【補正対象書類名】明細書
【補正対象項目名】００１１
【補正方法】変更
【補正の内容】
【００１１】
上記のバーチャルパチンコパーラーシステムにおいては、各ユーザ端末は、バーチャルパチンコパーラー内のパチンコ台を選択して遊技を行うときに、そのパチンコ台を使用している旨の使用情報をサーバに送信する手段をさらに有しており、サーバは、ユーザ端末から送信される使用情報を受信する手段をさらに有しており、サーバから他のユーザ端末に送信される店内グラフィックデータは、受信した使用情報に基づいて変更されていることが好ましい。
このバーチャルパチンコパーラーシステムでは、あるユーザ端末でバーチャルパチンコパーラー内のパチンコ台が選択され遊技が行われると、そのユーザ端末からサーバに使用情報が送信される。その後にそのバーチャルパチンコパーラーを選択したユーザ端末には、その使用情報に基づいて変更された店内画像（例えば、使用されているパチンコ台の椅子に人が座っている店内画像）が表示され、これによって、ユーザは、そのバーチャルパチンコパーラー内のパチンコ台が使用中か否かを知ることができ、そのバーチャルパチンコパーラーの混み具合等を判断することができる。
なお、サーバから他のユーザ端末に送信される店内グラフィックデータは、サーバが使用情報を受信した時からの経過時間に応じてさらに変更されていてもよい。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】